(57)【特許請求の範囲】
【請求項１】
スイングゲートであって、
前記スイングゲートが旋回可能な旋回端を有する主部と、
前記旋回端から離れた先端を有する安全部と、前記主部と前記安全部との間の中央ヒンジと、を備え、前記安全部は、前記主部に対して、ヒンジを介して、変位可能であり、
前記主部と前記安全部との間の中央ヒンジが上下方向に配置されることを特徴とするスイングゲート。
【請求項２】
スクリーンが前記スイングゲートの前記安全部の側に固定されることを特徴とする、請求項１に記載のスイングゲート。
【請求項３】
前記スクリーンは、その中に形成される多数の穴を含むことを特徴とする、請求項２に記載のスイングゲート。
【請求項４】
前記主部は、２つの端部支柱および複数のクロスバーを備えることを特徴とする、請求項１に記載のスイングゲート。
【請求項５】
前記安全部は、２つの端部支柱および複数のクロスバーを備えることを特徴とする、請求項１に記載のスイングゲート。
【請求項６】
前記主部が前記安全部よりも広いことを特徴とする、請求項１に記載のスイングゲート。
【請求項７】
前記安全部の先端部が固定されたレールに係止可能であることを特徴とする、請求項１に記載のスイングゲート。
【請求項８】
前記スクリーンが波型鋼を備えることを特徴とする、請求項２に記載のスイングゲート。
【発明の詳細な説明】
【技術分野】
【０００１】
本発明は、スイングゲートに関する。特に、本発明は、獣がゲートを攻撃、またゲートに衝突してオペレータが怪我することを防止するために、牛に対して使用されるスイングゲートに関する。
【背景技術】
【０００２】
スイングゲートは、牛小屋、飼育場、競馬場で、柵として牛を導いたり、牛小屋、飼育場、競馬場の開け閉めたりするために使用される。スイングゲートは、一般的に、牛の反対側のゲート側に立つオペレータによって、開け閉めされる。しばし起こるのが、ゲートの開け閉めの際、獣が興奮し、ゲートを攻撃したり衝突したりすることである。もしゲートが係止されておらず、オペレータが脱出に間に合わなければ、ゲートに衝突している獣の力がゲートによってオペレータに伝わる場合がある。牛は非常に重く力強いので、ゲートによってそのような打撃を加えられると、オペレータに対して深刻な怪我が発生する。また、ゲートの係止機構に集中しなければならないと同時に、近くにいる獣が何をしているのかを認知し続けるというのは、オペレータの仕事をさらに難しく危険なものとする。従って、ゲートの係止および係止解除作業は、一般的に、怪我の危険性が高いため、経験を積んだオペレータに委ねられる。
【０００３】
従って、ゲートの反対側に牛がいるときにオペレータが、より安全に、ゲートを開けたり、閉めたり、係止したり、係止を解除したりできるスイングゲートが必要である。
【０００４】
本発明の目的は、上記問題の１つまたはそれ以上を克服または少なくとも弱めること、および／または実用的または商業的選択を消費者に提供することである。
【発明の概要】
【発明が解決しようとする課題】
【０００５】
１つの態様において、唯一または、実際に広義の態様である必要はないが、本発明は、スイングゲートに関し、
前記スイングゲートが旋回可能な旋回端を有する主部と、
前記旋回端から離れた先端を有する安全部と、前記主部と前記安全部との間の中央ヒンジと、を備え、前記安全部は、前記主部に対して、ヒンジを介して、変位可能である。
【０００６】
好ましくは、スクリーンが前記スイングゲートの前記安全部の側に固定される。
【０００７】
好ましくは、前記スクリーンは、その中に形成される多数の穴を含む。
【０００８】
好ましくは、前記主部は、２つの端部支柱および複数のクロスバーを備える。
【０００９】
好ましくは、前記安全部は、２つの端部支柱および複数のクロスバーを備える。
【００１０】
好ましくは、前記主部が前記安全部よりも広い。
【００１１】
好ましくは、前記安全部の先端部が固定されたレールに係止可能である。
【００１２】
好ましくは、前記スクリーンが波型鋼を備える。
【００１３】
好ましくは、前記中央ヒンジは、前記主部の端部支柱の部分を捕らえる袖部を備える。
【００１４】
本発明の理解を助け、当業者が本発明を実際に効果的なものとすることができるように、本発明の好ましい実施形態を添付の図面を参照しながら例として説明する。
【図面の簡単な説明】
【００１５】
【図１】レール間に位置する従来技術のスイングゲートと、ゲートが閉じた位置でゲートを忙しく係止するオペレータと、を示す概略上面図である。
【図２】図１の従来技術のスイングゲートの概略上面図であって、オペレータがなんとかゲートを係止する前に、ゲートに衝突する獣を示す。
【図３】本発明の１つの実施形態に従った、スイングゲートの概略斜視図である。
【図４】図３のスイングゲートの概略前面図を示す。
【図５】図３のスイングゲートの概略上面図を示し、ゲートの閉じた位置で、ゲートを忙しく係止するオペレータを示す。
【図６】図３のスイングゲートの概略上面図を示し、オペレータがなんとかゲートを係止できる前にゲートに衝突する獣と、ゲートがオペレータに衝突するときにゲートの安全部がどのように折り畳めるかを示す。
【図７】本発明に従ったスイングゲートの別の実施形態の概略前面部を示す。
【００１６】
図１を参照して、従来技術のスイングゲート１０の上面図を示す。スイングゲート１０は、２つのレール１２、１４の間を延びる。ゲート１０の旋回端１６は、ヒンジ１８を介して、レール１２に旋回可能に接続される。ゲート１０の先端部２０は、ゲート１０を開閉した際にゲート１０が旋回するとき、開閉位置の間を動く。図１は、ゲート１０の閉じた位置を示し、ゲート１０がレール１２、１４に対して直角を成している。オペレータ２２は、ゲート１０の先端部２０とレール１４との間にチェーンを巻き、チェーンを係止することによって、ゲート１０を閉じた位置に係止する。しかし、オペレータ２２がゲート１０を係止する際、レール１２、１４の間に閉じ込められた獣２４がゲート１０を攻撃することは珍しくない。
【００１７】
図２を参照して、獣２４がゲート１０に追突しているので、ゲート１０の先端部２０が獣２４によって力ずくで開けられたとき、ゲート１０の端部領域によってオペレータ２２が衝突される姿を示す。重く強い獣２４は、ゲート１０に対してオペレータ２２が怪我をする十分な力を転送することもある。
【００１８】
図３および図４は、本発明に従うスイングゲート３０の一実施形態を示す。ゲート30によって、獣２４がゲート３０の反対側の近くに位置する際、オペレータは、ゲート３０をより安全に開閉することが可能である。ゲート３０は、ゲート３０が旋回可能な旋回端３２と、旋回端３２から離れた先端部３４と、を備える。ゲート３０は、２つの固定レール３６,３８の間を延びる。旋回端３２は、レール３６の上部および下部に、ヒンジ４０によって、レール３６に旋回可能に接続される。ゲート３０は、旋回端３２と先端部３４との間の中央ヒンジ４２を備える。中央ヒンジ４２は、ゲートを２つの部分、つまり、旋回端３２と中央ヒンジ４２との間の主部４４、中央ヒンジ４２と先端部３４との間の安全部４６、に効果的に分ける。
【００１９】
主部４４は、２つの離間した端部支柱４８のフレームと、端部支柱４８の間を延びるクロスバー５０と、を備える。ゲート１０の旋回端部３２の端部支柱４８の１つは、ヒンジ４０の間に保持される。ヒンジ４０は、スイング軸４１を定義し、その軸の周りを主部４４が開位置と閉位置の間を旋回可能である。図３、図４、図５は、閉位置の主部４４を示す。
【００２０】
安全部４６は、２つの離間した端部支柱５２と、該端部支柱５２の間を延びるクロスバー５４と、を備える。安全部４６は、中央ヒンジ４２によって、ヒンジを介して、主部４４に接続される。
【００２１】
中央ヒンジ４２は、主部４４の端部支柱４８の部分を捕らえ、中央ヒンジ４２の近傍の安全部４６の端部支柱５２の１つに溶接される袖部を備える。袖部５６は、垂直フラップ軸４３を定義し、その軸を中心に、安全部４６が旋回可能である。
【００２２】
主部４４は、従って、スイング軸４１を中心に開閉位置の間をスイング可能であり、安全部４６は、主部４４との並列および非並列配置関係をもってスイング可能である。なお詳細は図５および図６に示す。図示のように、主部４４は、安全部４６よりはるかに広くても良い。
【００２３】
図５は、オペレータ２２によって獣２４の前で閉じられたり係止されたりしているスイングゲート３０の上面図を示す。オペレータ２２は、ゲート３０の先端部３４の支柱５２とレール３８との間にチェーンを巻いて、閉位置でゲート３０を係止する。そうすることによって、オペレータ２２は、獣２４から離れて、ゲート３０の反対側に自分自身を位置させる。ゲート３０の閉位置では、ゲート３０の主部４４は、レール３６、３８に対して直角であり、安全部４６が主部４４に平行配列される。
【００２４】
図６を参照して、スイングゲート３０の上面図は、ゲート３０が係止される前にゲート３０にぶつかる獣２４が示される。獣２４が係止が解除されたゲート３０にぶつかると、主部４４がスイングし開く。安全部４６はオペレータ２２に衝突する。しかし、安全部４６は、主部４４にヒンジを介して接続されているので、安全部４６は主部４４との並列配置関係を脱してスイングする。従って、安全部４６は、獣２４が主部４４に押しつけたとき、オペレータ２２から離れるように折りたたまれる。オペレータ２２は、従って、獣２４が主部４４に力を加えて開位置にしたとき安全部４６が折りたたまれる際、主部４４とレール３８との間に生まれた隙間の間を自由に通ることができる。オペレータ２２に対して送られる力は、安全部４６が主部４４との並列配列関係を脱するのに必要な分だけなので、オペレータ２２に対して意味のある保護を付与する。ゲート３０を閉めることに関する上記説明は、ゲート３０を開く際にも適応可能である。
【００２５】
図７は、本発明の別の実施形態による、スイングゲート６０の前面図である。ゲート６０は、ゲート３０と同様、唯一の違いは、スクリーン６２がゲート６０の安全部上に配置されていることである。スクリーン６２は、波型鋼などいかなる適切な材料から作製されてよい。スクリーン６２は、目線上に位置される覗き穴６４のグリッドを備える。例えば、スクリーン６２は、ゲート６０のフレームに溶接された鉄のシートから形成されてもよい。スクリーン６２は、オペレータ２２がゲート６０を係止している間、獣２４の視線からオペレータ２２を隠す。オペレータ２２は、覗き穴６４を通して、それでも獣２４を見ることができる。獣２４は、オペレータ２２を見たとき、一般的に、より興奮するものであるので、オペレータ２２を視野から隠すと、獣２４がゲート６０を攻撃する可能性が低くなる。スクリーン６２は、ゲート６０をレール３８に係止するチェーンが通ることができる切り込み６６を有する。
【００２６】
従って、従来技術のゲート１０と比較して、本発明のゲート３０、６０は、ゲート３０と６０とが係止されたり係止が解除されたりするとき、オペレータ２２にとって大変安全である。
【００２７】
本発明の様々な実施形態の上記説明は、従来技術の当業者に対する説明をする目的として与えられる。本発明を網羅する、または１つの開示実施形態にだけ制限することを意図するものではない。本発明に対する様々な代替案および変更例は、上記教示の当業者にとって明らかになろう。従って、いくつかの代替実施形態が具体的に論じられた半面、その他の実施形態が当業者によって明らかになり、また比較的簡易に開発されるだろう。従って、本発明は、明細書に説明された本発明の全ての代替案、変更例、変形例、および上記に説明された発明の範囲及び主旨内の他の実施形態をも含むという意味である。
【図１】
0005612109.tif 000002
【図２】
0005612109.tif 000003
【図３】
0005612109.tif 000004
【図４】
0005612109.tif 000005
【図５】
0005612109.tif 000006
【図６】
0005612109.tif 000007
【図７】
0005612109.tif 000008